(57)【要約】      （修正有）【課題】シートベルトの装着時に乗員は手を後方にのばしてベルトを掴む必要があり、特に体の固い乗員にとってシートベルトの装着が大変であった。そこで、シートベルトの装着が容易で、装着時や非装着時を問わず乗員の邪魔にならないで、かつ、低コストで実現できるシートベルト装着補助具を提供する。【解決手段】シートベルト装着補助具は取っ手装着具３と取っ手とからなり、シートベルトを装着する時、タングプレート２に接続している取っ手を手で掴み引っ張り出す。そして、タングプレート２をバックルに挿入する。取っ手はシート座面とセンターコンソールの隙間に入れる。【選択図】図２
2016064817.tif 000002
【特許請求の範囲】
【請求項１】
高度な機能を有するシートベルトシステムのスムーズな動きの障害とならない形状を特徴とするタングプレートに取り付ける取っ手装着具と取っ手装着具に取り付ける取っ手を有したシートベルト装着補助具。
【請求項２】
前記取っ手装着具及び取っ手は、部品点数が少ないため、低コストで実現でき、また、シートベルトの装着時及び非装着時に場所をとらなく、乗員の邪魔にならないことを特徴とする請求項１に記載のシートベルト装着補助具。
【請求項３】
前記取っ手装着具と取っ手を一体のものとして作成することにより、より一層の低コスト化と作成の容易さ特徴とする請求項１又は２に記載のシートベルト装着補助具。
【発明の詳細な説明】
【技術分野】
【０００１】  本発明は、自動車の運転席及び助手席乗員用の三点式シートベルト装着補助具である。
【背景技術】
【０００２】  通常、運転席及び助手席乗員用の三点式シートベルトは、自動車のセンターピラーにそって取りつけられている。この位置にあるシートベルトを取り出すには、前方を向いている乗員が手を後方にのばしてベルトを掴む必要があり、体の固い乗員にとって大変である。この対応策として、シートベルトに輪や帯を通して、それに取っ手をつける。あるいは、タングプレートに取っ手をつけるといったアイデアが示されたことがある。しかし、実際にそれらのアイデアが具体化し、製品として普及したとはいえないのが現状である。
【先行技術文献】
【特許文献１】特開２００１−２７８００６号  公報
【特許文献２】特開２００１−３１５６１５号  公報
【発明の概要】
【発明が解決しようとする課題】
【０００３】  従来、タングプレートの他に輪や帯を新たにシートベルトに通して、それに取っ手をつけるという考えを示したものがあった。しかし、シートベルトの装着は、最終的にはタングプレートの金具をバックルに結合して完了する訳だから、乗員の手の動きから考えても、タングプレートと分離して補助具を設置するよりもタングプレートに直接設置した方が合理的であると考えられる。また、シートベルト装着時に、シートベルト上に取っ手が付加されることになり、乗員にとって煩雑である。
また、これまでに、タングプレートに取っ手をつけるというアイデアが示されたものがあった。しかし、タングプレートに装着する取っ手の取付部の形状が、シートベルトの通るスリットを被せる形であり、部品点数も多かった。
現在のシートベルトは、衝撃時に瞬時にシートベルトを巻き上げ、その後適度にシートベルトを緩め、身体に一定以上の負荷がかからないようにするという高度な機能が備わったものが大半である。この高度な機能を活かすために、タングプレートの形状（シートベルトの帯の通るスリットを含め、シートベルト装着時にシートベルトのタングプレートにかかる部位（タングプレートの金具の突出している反対側））について最適な形で設計され、シートベルトのスムーズな動作を確保しているものと考えられる。
本発明は、取っ手の取付部を既製のタングプレートの金具の突出している方からはめ込むものであり、シートベルトの帯の通るスリットを含め、シートベルト装着時にシートベルトがタングプレートにかかる部位に被らない形状をしており、シートベルトのスムーズな動作の障害とならないことを最大の特徴としている。
取っ手については、薄く柔軟性のある、しかし自己保持性のある材質で作成する。これは、シートベルト非装着時には、センターピラーにそって取り付けられているシートベルト上のタングプレートから突出している取っ手を車のドアを閉める際に挟まないようにするためである。また、シートベルト装着時には、シート座面の乗員の腰の横にあるバックルと結合したタングプレートから突出した取っ手が座面の端とセンターコンソールの間に挟まれる位置にあるため、極力スペースをとらないようにするためである。
本発明は、既製のタングプレートをそのまま使うことができ、部品点数が少ないため、大量生産すれば、１００円ショップで購入できそうなほど低コストで実現できると考えられるものである。
【課題を解決するための手段】
【０００４】  本発明は、シートベルト１の帯に通してあるタングプレート２に取っ手装着具３を取り付けることで、取っ手４を確実にタングプレート２に設置できるものである。
【発明の効果】
【０００５】  乗員は、手を後方にのばすことなく取っ手４を掴み、タングプレート２を取り寄せることができるため、容易にシートベルトを装着することができる。
【発明を実施するための形態】
【０００６】  当該乗員は、シートベルト１を装着する時、タングプレート２に接続している取っ手４を手で掴み引っぱりだす。引っぱりだしたシートベルト１に窓際の方の腕及び肩をくぐらせる。次に窓際とは反対側の手でタングプレート２をバックル５に挿入する。取っ手４はシート座面とセンターコンソールの隙間に入れる。シートベルト１をはずす時は、意識的にシートベルト１が捩れないようにしながらセンターピラー６の横にもどす。取っ手４も、乗員が装着しやすい位置となる。
【０００７】  シートベルト装着補助具の構成部品は、取っ手装着具３と取っ手４の２点である。共に厚みは薄く、こわれにくい材質で作る。材質については特定しないが、種々の合成樹脂等が考えられる。取っ手装着具３と取っ手４の材質は同じものでなくてよい。また、牛乳パックに使われているような丈夫な材質の紙や布、ゴム、合成皮革等で作ってもよい。一例として図６に示す。
【０００８】  取っ手装着具３の形状は、図２で示しているようにタングプレート２の外周の一辺（金具の出ている辺の反対側の辺）をぬいたコの字型に近い形となる。金具の出ている辺には、金具を通す穴が空けてあり、金具がその穴を通って突出するようになっている。取っ手装着具３をタングプレートの金属の出ている方から、タングプレート２に取り付ける（図２参照）。タングプレート２の外周の内、金具の出ている辺の反対側の辺すなわちシートベルト装着時にシートベルトがかかってくるところ及びシートベルトの帯の通っているスリットには、取っ手装着具３の部材は被ってこないので、シートベルトのスムーズな動きの障害とならない。タングプレート２に取っ手装着具３をとりつける方法については、取っ手装着具３の形状がタングプレート２の形状に合わせてコの字型であり、断面もタングプレート２の形状に合わせて凹型になっているので、タングプレート２に取っ手装着具３をはめ込む形で装着する。ジャージ等の布やゴムのような柔軟性のある材質であれば、タングの形状より若干小さめに作成することによりタングプレートにピッタリと固着することができる。また、タングプレート２と取っ手装着具３の接続部分を両面テープ等で接着することも併用すれば、両者を確実にとりつけることができる。
取っ手装着具の部品点数は２個に増えるが、上記の取っ手装着具を二つに割り（図４の状態で、手前の面と奥の面（図では見えない面）を分離する形で）、合成樹脂等（内側に滑り止めのゴム等を配する。）で部品を作成（２個の部品の各々左右には、両者を結合するためのネジ穴を設ける。）し、タングプレートを挟みこむ形で、両部品をネジで締めつけることにより、取っ手装着具をタングプレートに固定してもよい。取っ手装着具の細かい寸法及び形状については、本発明の趣旨を逸脱しない範囲で変形実施が可能である。
取っ手装着具３に設けた穴８と取っ手４に設けた穴９のところで、おねじめねじ又はハトメ、リベット等を使い接合する。取っ手４の形状は、薄く柔軟性のある材質で、掌で掴みやすいように掴む部分を図のように大きくする。この部分に穴を開ければ、指で引っかけやすいともいえるが、乗員の乗降時にボタン等がひっかかりやすいと考えられるが、この形状については、本発明の趣旨を逸脱しない範囲で種々の変形実施が可能である。
【０００９】  以上、本発明の実施の形態について説明した。本発明は、上記の一例に限定されることなく、本発明の趣旨を逸脱しない範囲で種々の変形実施が可能である。例えば、取っ手の形状長さを乗員の体格により数種類用意するとか、樹脂製等の取っ手を乗員の好みの色及び柄の布あるいは合皮にするといった活用方法が考えられる。また、取っ手装着具３と取っ手４について一体としてもよい。
【図面の簡単な説明】
【００１０】
【図１】  シートベルト１、タングプレート２、バックル５、センターピラー６、運転席の関係図である。
【図２】  本発明にかかる取っ手装着具３とタングプレート２の関係図（取り付け前の状態）である。
【図３】  本発明にかかる取っ手装着具３とタングプレート２の関係図（取り付け後の状態）である。
【図４】  本発明にかかる取っ手装着具３の斜視図である。
【図５】  本発明にかかる取っ手４の斜視図である。
【図６】  丈夫な材質の紙やゴム、布、合成皮革等を切り抜いて作った一例である。この例では取っ手部分を貼りあわせる形であるが、この形に限定されることなく本発明の趣旨を逸脱しない範囲での変形実施が可能である。また、貼りあわせる方法についても接着剤や糸による縫合、おねじめねじ又はハトメ、リベット等で行う。
【符号の説明】１  シートベルト
２  タングプレート
３  取っ手装着具
４  取っ手
５  バックル
６  センターピラー
７  タングプレートの金具を通す穴
８  取っ手との接続部（９と接続）
９  取っ手装着具との接続部（８と接続）
【図１】
2016064817.tif 000003
【図２】
2016064817.tif 000004
【図３】
2016064817.tif 000005
【図４】
2016064817.tif 000006
【図５】
2016064817.tif 000007
【図６】
2016064817.tif 000008